【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による、ワイヤレス通信のための方法であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定することと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートすることと、
前記第１のＲＡＴと関連付けられた前記ＵＬリソースグラントを使用して、前記ポピュレートされた未使用のリソースおよび前記利用可能なデータの少なくとも一部分を、送信することと、
を備える、方法。
【請求項２】
前記ポピュレートすることは、
Ｍ系列（ＭＬＳ）を生成して前記ＭＡＣレイヤにおける第１のバッファに前記ＭＬＳを記憶することと、
前記ＭＬＳのビット反転を行って前記ビット反転の出力を、前記ＭＡＣレイヤにおける第２のバッファに記憶することと、
前記ＭＡＣレイヤにおいて非ゼロ値で線形フィードバックシフトレジスタ（ＬＦＳＲ）を開始することと、
前記ＬＦＳＲの最下位ビット（ＬＳＢ）の値がゼロであるとき、前記第１のバッファの内容をＭＡＣ送信バッファにコピーすることと、
を備える、
請求項１に記載の方法。
【請求項３】
前記ＬＦＳＲの内容を１つまたは複数のビット右にシフトすることによって、前記ＬＦＳＲの状態を更新すること、
をさらに備える、
請求項２に記載の方法。
【請求項４】
前記ＬＦＳＲの前記ＬＳＢの前記値が１であるとき、前記第２のバッファの内容を前記ＭＡＣ送信バッファにコピーすること、
をさらに備える、
請求項２に記載の方法。
【請求項５】
前記ポピュレートすることは、
前記ＬＦＳＲの内容を１つまたは複数のビット右にシフトすることによって、前記ＬＦＳＲの状態を更新することと、
接続タップを使用して前記更新の出力に対して排他的ＯＲ（ＸＯＲ）演算を行うことと、ここにおいて、前記接続タップは前記ＬＦＳＲにおけるビット位置である、
をさらに備える、
請求項４に記載の方法。
【請求項６】
前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
請求項１に記載の方法。
【請求項７】
前記第１のＲＡＴは、ＬＴＥバンド番号１３で動作しており、前記第２のＲＡＴは、ＧＮＳＳ  Ｌ１バンドで動作している、
請求項６に記載の方法。
【請求項８】
ユーザ機器（ＵＥ）による、ワイヤレス通信のための装置であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するための手段と、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするための手段と、
前記第１のＲＡＴと関連付けられた前記ＵＬリソースグラントを使用して、前記ポピュレートされた未使用のリソースおよび前記利用可能なデータの少なくとも一部分を、送信するための手段と、
を備える、装置。
【請求項９】
前記ポピュレートするための手段は、
Ｍ系列（ＭＬＳ）を生成して前記ＭＡＣレイヤにおける第１のバッファに前記ＭＬＳを記憶するための手段と、
前記ＭＬＳのビット反転を行って前記ビット反転の出力を、前記ＭＡＣレイヤにおける第２のバッファに記憶するための手段と、
前記ＭＡＣレイヤにおいて非ゼロ値で線形フィードバックシフトレジスタ（ＬＦＳＲ）を開始するための手段と、
前記ＬＦＳＲの最下位ビット（ＬＳＢ）の値がゼロであるとき、前記第１のバッファの内容をＭＡＣ送信バッファにコピーするための手段と、
を備える、
請求項８に記載の装置。
【請求項１０】
前記ＬＦＳＲの内容を１つまたは複数のビット右にシフトすることによって、前記ＬＦＳＲの状態を更新するための手段、
をさらに備える、
請求項９に記載の装置。
【請求項１１】
前記ＬＦＳＲの前記ＬＳＢの前記値が１であるとき、前記第２のバッファの内容を前記ＭＡＣ送信バッファにコピーするための手段、
をさらに備える、
請求項９に記載の装置。
【請求項１２】
前記ポピュレートするための手段は、
前記ＬＦＳＲの内容を１つまたは複数のビット右にシフトすることによって、前記ＬＦＳＲの状態を更新するための手段と、
接続タップを使用して前記更新の出力に対して排他的ＯＲ（ＸＯＲ）演算を行うための手段と、ここにおいて、前記接続タップは前記ＬＦＳＲにおけるビット位置である、
をさらに備える、
請求項１１に記載の装置。
【請求項１３】
前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
請求項８に記載の装置。
【請求項１４】
コンピュータプログラムがコンピュータシステム上で実行されたときに、前記コンピュータシステムに請求項１〜請求項７の方法のステップを実行させるコードを記憶した、コンピュータプログラム。
【請求項１５】
ワイヤレス通信のためのユーザ機器であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するように構成されたリソース決定コンポーネントと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするように構成されたポピュレーティングコンポーネントと、
前記第１のＲＡＴと関連付けられた前記ＵＬリソースグラントを使用して、前記ポピュレートされた未使用のリソースおよび前記利用可能なデータの少なくとも一部分を、送信するように構成された送信コンポーネントと、
を備える、ユーザ機器。
【手続補正２】
【補正対象書類名】明細書
【補正対象項目名】００８３
【補正方法】変更
【補正の内容】
【００８３】
[0094]  先の説明は、如何なる当業者にも、本明細書に説明された様々な態様を実施することを可能にするために、提供される。これらの態様への様々な修正は、当業者にとって容易に明らかとなり、本明細書において定義された包括的な原理は、他の態様に適用され得る。このことから、特許請求の範囲は、本明細書に示された態様に限定されるように意図されておらず、特許請求の範囲の文言と一致する全範囲を付与されるべきであり、ここにおいて、単数形での要素への言及は、そのように明確に記載されない限りは「１つおよび１つのみ」を意味するように意図されておらず、むしろ「１つまたは複数」を意味するように意図されている。そうでないと明確に記載されない限り、「何らかの／いくつかの（some）」という用語は、１つまたは複数を指す。当業者に既知のまたは後に知られることとなる本開示の全体にわたって説明された様々な態様の要素と構造的および機能的に同等なものは全て、参照によって本明細書に明確に組み込まれ、特許請求の範囲に包含される（encompassed）よう意図される。さらに、そのような開示が、特許請求の範囲の中に明示的に記載されているかに関わらず、本明細書で開示されたものは、公に捧げられることを意図していない。要素が「〜のための手段」という表現（phrase）を使用して明確に記載されていない限り、何れの特許請求の範囲の要素も、ミーンズプラスファンクションとして解釈されるべきではない。
以下に本願の出願当初の特許請求の範囲に記載された発明を付記する。
[Ｃ１]  ユーザ機器（ＵＥ）による、ワイヤレス通信のための方法であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定することと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートすることと、
前記第１のＲＡＴと関連付けられた前記ＵＬリソースグラントを使用して、前記ポピュレートされた未使用のリソースおよび前記利用可能なデータの少なくとも一部分を、送信することと、
を備える、方法。
[Ｃ２]  前記ポピュレートすることは、
Ｍ系列（ＭＬＳ）を生成して前記ＭＡＣレイヤにおける第１のバッファに前記ＭＬＳを記憶することと、
前記ＭＬＳのビット反転を行って前記ビット反転の出力を、前記ＭＡＣレイヤにおける第２のバッファに記憶することと、
前記ＭＡＣレイヤにおいて非ゼロ値で線形フィードバックシフトレジスタ（ＬＦＳＲ）を開始することと、
前記ＬＦＳＲの最下位ビット（ＬＳＢ）の値がゼロであるとき、前記第１のバッファの内容をＭＡＣ送信バッファにコピーすることと、
を備える、
Ｃ１に記載の方法。
[Ｃ３]  前記ＬＦＳＲの内容を１つまたは複数のビット右にシフトすることによって、前記ＬＦＳＲの状態を更新すること、
をさらに備える、
Ｃ２に記載の方法。
[Ｃ４]  前記ＬＦＳＲの前記ＬＳＢの前記値が１であるとき、前記第２のバッファの内容を前記ＭＡＣ送信バッファにコピーすること、
をさらに備える、
Ｃ２に記載の方法。
[Ｃ５]  前記ポピュレートすることは、
前記ＬＦＳＲの内容を１つまたは複数のビット右にシフトすることによって、前記ＬＦＳＲの状態を更新することと、
接続タップを使用して前記更新の出力に対して排他的ＯＲ（ＸＯＲ）演算を行うことと、ここにおいて、前記接続タップは前記ＬＦＳＲにおけるビット位置である、
をさらに備える、
Ｃ４に記載の方法。
[Ｃ６]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ１に記載の方法。
[Ｃ７]  前記第１のＲＡＴは、ＬＴＥバンド番号１３で動作しており、前記第２のＲＡＴは、ＧＮＳＳ  Ｌ１バンドで動作している、
Ｃ６に記載の方法。
[Ｃ８]  ユーザ機器（ＵＥ）による、ワイヤレス通信のための装置であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するための手段と、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするための手段と、
前記第１のＲＡＴと関連付けられた前記ＵＬリソースグラントを使用して、前記ポピュレートされた未使用のリソースおよび前記利用可能なデータの少なくとも一部分を、送信するための手段と、
を備える、装置。
[Ｃ９]  前記ポピュレートするための手段は、
Ｍ系列（ＭＬＳ）を生成して前記ＭＡＣレイヤにおける第１のバッファに前記ＭＬＳを記憶するための手段と、
前記ＭＬＳのビット反転を行って前記ビット反転の出力を、前記ＭＡＣレイヤにおける第２のバッファに記憶するための手段と、
前記ＭＡＣレイヤにおいて非ゼロ値で線形フィードバックシフトレジスタ（ＬＦＳＲ）を開始するための手段と、
前記ＬＦＳＲの最下位ビット（ＬＳＢ）の値がゼロであるとき、前記第１のバッファの内容をＭＡＣ送信バッファにコピーするための手段と、
を備える、
Ｃ８に記載の装置。
[Ｃ１０]  前記ＬＦＳＲの内容を１つまたは複数のビット右にシフトすることによって、前記ＬＦＳＲの状態を更新するための手段、
をさらに備える、
Ｃ９に記載の装置。
[Ｃ１１]  前記ＬＦＳＲの前記ＬＳＢの前記値が１であるとき、前記第２のバッファの内容を前記ＭＡＣ送信バッファにコピーするための手段、
をさらに備える、
Ｃ９に記載の装置。
[Ｃ１２]  前記ポピュレートするための手段は、
前記ＬＦＳＲの内容を１つまたは複数のビット右にシフトすることによって、前記ＬＦＳＲの状態を更新するための手段と、
接続タップを使用して前記更新の出力に対して排他的ＯＲ（ＸＯＲ）演算を行うための手段と、ここにおいて、前記接続タップは前記ＬＦＳＲにおけるビット位置である、
をさらに備える、
Ｃ１１に記載の装置。
[Ｃ１３]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ８に記載の装置。
[Ｃ１４]  前記第１のＲＡＴは、ＬＴＥバンド番号１３で動作しており、前記第２のＲＡＴは、ＧＮＳＳ  Ｌ１バンドで動作している、
Ｃ１３に記載の装置。
[Ｃ１５]  ユーザ機器（ＵＥ）において、ワイヤレス通信のためのコンピュータ実行可能コードを記憶するコンピュータ可読媒体であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するためのコードと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするためのコードと、
前記第１のＲＡＴと関連付けられた前記ＵＬリソースグラントを使用して、前記ポピュレートされた未使用のリソースおよび前記利用可能なデータの少なくとも一部分を、送信するためのコードと、
を備える、コンピュータ可読媒体。
[Ｃ１６]  前記ポピュレートするためのコードは、
Ｍ系列（ＭＬＳ）を生成して前記ＭＡＣレイヤにおける第１のバッファに前記ＭＬＳを記憶するためのコードと、
前記ＭＬＳのビット反転を行って前記ビット反転の出力を、前記ＭＡＣレイヤにおける第２のバッファに記憶するためのコードと、
前記ＭＡＣレイヤにおいて非ゼロ値で線形フィードバックシフトレジスタ（ＬＦＳＲ）を開始するためのコードと、
前記ＬＦＳＲの最下位ビット（ＬＳＢ）の値がゼロであるとき、前記第１のバッファの内容をＭＡＣ送信バッファにコピーするためのコードと、
をさらに備える、
Ｃ１５に記載のコンピュータ可読媒体。
[Ｃ１７]  前記ＬＦＳＲの内容を１つまたは複数のビット右にシフトすることによって、前記ＬＦＳＲの状態を更新するためのコード、
をさらに備える、
Ｃ１６に記載のコンピュータ可読媒体。
[Ｃ１８]  前記ＬＦＳＲの前記ＬＳＢの前記値が１であるとき、前記第２のバッファの内容を前記ＭＡＣ送信バッファにコピーするためのコード、
をさらに備える、
Ｃ１６に記載のコンピュータ可読媒体。
[Ｃ１９]  前記ポピュレートするためのコードは、
前記ＬＦＳＲの内容を１つまたは複数のビット右にシフトすることによって、前記ＬＦＳＲの状態を更新するためのコードと、
接続タップを使用して前記更新の出力に対して排他的ＯＲ（ＸＯＲ）演算を行うためのコードと、ここにおいて、前記接続タップは前記ＬＦＳＲにおけるビット位置である、
をさらに備える、
Ｃ１８に記載のコンピュータ可読媒体。
[Ｃ２０]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ１５に記載のコンピュータ可読媒体。
[Ｃ２１]  前記第１のＲＡＴは、ＬＴＥバンド番号１３で動作しており、前記第２のＲＡＴは、ＧＮＳＳ  Ｌ１バンドで動作している、
Ｃ２０に記載のコンピュータ可読媒体。
[Ｃ２２]  ワイヤレス通信のためのユーザ機器であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するように構成されたリソース決定コンポーネントと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするように構成されたポピュレーティングコンポーネントと、
前記第１のＲＡＴと関連付けられた前記ＵＬリソースグラントを使用して、前記ポピュレートされた未使用のリソースおよび前記利用可能なデータの少なくとも一部分を、送信するように構成された送信コンポーネントと、
を備える、ユーザ機器。
[Ｃ２３]  前記ポピュレーティングコンポーネントは、
Ｍ系列（ＭＬＳ）を生成して前記ＭＡＣレイヤにおける第１のバッファに前記ＭＬＳを記憶し、
前記ＭＬＳのビット反転を行って前記ビット反転の出力を、前記ＭＡＣレイヤにおける第２のバッファに記憶し、
前記ＭＡＣレイヤにおいて非ゼロ値で線形フィードバックシフトレジスタ（ＬＦＳＲ）を開始し、および、前記ＬＦＳＲの最下位ビット（ＬＳＢ）の値がゼロであるとき、前記第１のバッファの内容をＭＡＣ送信バッファにコピーするようにさらに構成された、
Ｃ２２に記載の装置。
[Ｃ２４]  前記ＬＦＳＲの内容を１つまたは複数のビット右にシフトすることによって、前記ＬＦＳＲの状態を更新するための状態更新コンポーネント、
をさらに備える、
Ｃ２３に記載の装置。
[Ｃ２５]  前記ポピュレーティングコンポーネントは、
前記ＬＦＳＲの前記ＬＳＢの前記値が１であるとき、前記第２のバッファの内容を前記ＭＡＣ送信バッファにコピーする
ようにさらに構成された、
Ｃ２３に記載の装置。
[Ｃ２６]  前記ポピュレーティングコンポーネントは、
前記ＬＦＳＲの内容を１つまたは複数のビット右にシフトすることによって、前記ＬＦＳＲの状態を更新し、および、
接続タップを使用して前記更新の出力に対して排他的ＯＲ（ＸＯＲ）演算を行い、ここにおいて、前記接続タップは前記ＬＦＳＲにおけるビット位置である、
ようにさらに構成された、
Ｃ２５に記載の装置。
[Ｃ２７]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ２２に記載の装置。
[Ｃ２８]  前記第１のＲＡＴは、ＬＴＥバンド番号１３で動作しており、前記第２のＲＡＴは、ＧＮＳＳ  Ｌ１バンドで動作している、
Ｃ２７に記載の装置。